(57)【特許請求の範囲】
【請求項１】
２つの住戸が隣接する隣接部に、三方が外壁によって囲まれ前方に開放した凹部が形成され、該凹部に１階と２階とを行き来するための外階段が設けられる多層階の集合住宅であって、
前記凹部の前方を覆う飾り壁部が設けられ、
前記飾り壁部は、前記凹部よりも幅が広く、前記凹部の前方に立設された前壁体と、
前記前壁体の左右の端部からそれぞれ延出して、前記前壁体と当該集合住宅の外壁とを連結する２つの側壁体と、
を備え、
前記前壁体には、少なくとも前記外階段との往来が可能な開口部が設けられ、
前記側壁体の少なくとも１階部分には、採光を得ることが可能な側壁開口部が設けられ、
前記外階段は、前記開口部から当該集合住宅の内側に向かう直階段であり、当該外階段の上端部と当接する外廊下は、前記前壁体と離間していることを特徴とする集合住宅。
【請求項２】
前記前壁体及び前記側壁体の高さは、前記凹部内であって２階の床レベルに設けられた外廊下よりも高くなっていることを特徴とする請求項１に記載の集合住宅。
【請求項３】
前記前壁体と２つの前記側壁体とによって囲まれた空間の内側に、前記前壁体と、当該集合住宅の外壁とに当接して小壁が設けられていることを特徴とする請求項１又は２に記載の集合住宅。
【請求項４】
前記側壁体と前記小壁とで挟まれた空間を所定の高さ位置で仕切る仕切板が設けられていることを特徴とする請求項３記載の集合住宅。
【請求項５】
前記仕切板は、防水処理が施されていることを特徴とする請求項４記載の集合住宅。
【請求項６】
前記仕切板の下方に、前記側壁体と小壁とで挟まれた空間を塞ぐ軒天井が設けられていることを特徴とする請求項４又は５に記載の集合住宅。
【請求項７】
前記前壁体及び前記側壁体の地面と接していない下端部に、壁面から下方に傾斜した水切りが設けられていることを特徴とする請求項１〜６の何れか一つに記載の集合住宅。
【発明の詳細な説明】
【０００１】
【発明の属する技術分野】
本発明は、アパート等の集合住宅に関し、特に、２つの住戸が隣接する隣接部に凹部が形成され、該凹部に外階段が設けられる多層階の集合住宅に関する。
【０００２】
【背景の技術】
従来、アパートなどの集合住宅においては、例えば、１階部及び２階部に各々左右２つの住戸が隣接して設けられ、その隣接部に、該住戸の内側に一部凹んで凹部が形成され、該凹部に２階部へ昇るための外階段が設けられているものが知られている。
前記凹部は、外壁によって三方が囲まれた構造を有し、凹部の入隅の角に近接して各住戸の玄関部が設けられるとともに、２階部の床高さ部分には外廊下が設けられている。
そして、２階の住民は１階から前記外階段を昇って２階の外廊下を通って２階の各住戸の玄関部に出入りすることが出来るようになっている。
【０００３】
ところで、前記従来の集合住宅の玄関部や外階段は、隣接する道路や他の住宅などから覗かれてしまうため、プライバシーの保護が図れないという問題点があった。
これに対し、例えば、特開平３−１８７４６１に示すような、凹部内の折り返し階段の途中に設けられた踊り場の少なくとも一部が集合住宅の外壁面よりも外側に設けられ、該踊り場を支持するための支持壁が前記外壁面よりも外側に設けられているものが知られている。
この場合、前記支持壁により、前記凹部の一部が隠れることとなって、前方から凹部が丸見えとはならなくなるので、プライバシーの保護を図ることが出来る。
また、前記支持壁の左右の端部からそれぞれ延出して、前記支持壁と外壁とを連結した側壁を設けたものも知られている。
【０００４】
【発明が解決しようとする課題】
しかしながら、上記先行技術（特開平３−１８７４６１）の場合では、前記踊り場と前記支持壁とが接続されているので、上部が塞がれてしまって採光性がよくないという問題があるとともに、踊り場と支持壁により凹部が閉塞され圧迫感を感じてしまうという問題点もある。更に、１階入口付近の前記支持壁と外壁との間は、開口しているため集合住宅の側方から１階部の凹部が覗かれてしまうという問題点もある。
また、１階部に前記支持壁の左右の端部からそれぞれ延出して、前記支持壁と前記外壁とを連結した側壁を設けたものの場合では、側壁により前記支持壁と前記外壁との間が閉塞されてしまうので、凹部内の採光性がよくないという問題点がある。
【０００５】
本発明は、上記事情に鑑みてなされたものであって、２つの住戸が隣接する隣接部に形成される凹部を外部から見え難くすることが可能で、且つ採光性に優れ圧迫感を起こさせない集合住宅を提供することを目的とする。
【００１４】
【課題を解決するための手段】
上記問題点を解決するため、請求項１記載の発明は、例えば、図１〜図６に示すように、２つの住戸２（２ａ、２ｂ又は２ｃ，２ｄ）が隣接する隣接部３に、三方が外壁４１，４２，４３によって囲まれ前方に開放された凹部４が形成され、該凹部４に１階と２階とを行き来するための外階段６が設けられる多層階の集合住宅１であって、前記凹部４の前方を覆う飾り壁部４０が設けられ、前記飾り壁部４０は、前記凹部４よりも幅が広く、前記凹部４の前方に立設された前壁体７と、前記前壁体７の左右の端部７１，７２からそれぞれ延出して、前記前壁体７と当該集合住宅１の外壁４４，４５とを連結する前記壁体としての２つの側壁体８，９（例えば、右側壁体、左側壁体）と、を備え、前記前壁体７には、少なくとも前記外階段６との往来が可能な開口部７ａが設けられ、前記側壁体８，９の少なくとも１階部分には、採光を得ることが可能な側壁開口部８ａ，９ａが設けられ、前記外階段６は、前記開口部７ａから当該集合住宅１の内側に向かう直階段であり、当該外階段６の上端部６ｂと当接する外廊下６５は、前記前壁体７と離間していることを特徴としている。
【００１５】
請求項１記載の発明によれば、少なくとも外階段６への往来が可能な開口部７ａを有する飾り壁としての前壁体７によって凹部４の前方が覆われているので、前方の道路や近くの住宅から凹部４が覗かれることがない。また、凹部４と前壁体７との間には、例えば、踊り場のような閉塞させる部材が設けられていないので、１階部分の凹部４の採光性に優れるとともに、凹部４の前面に前壁体７を設けても凹部４空間が閉塞されることがないこととなって、圧迫感を感じることがなくゆったりとした感じを与えることが出来る。
特に、飾り壁部４０には、前壁体７の左右の端部７１，７２からそれぞれ延出して、前壁体７と当該集合住宅１の外壁４４，４５とを連結する２つの側壁体８，９が設けられているので、前壁体７と外壁４４、４５の隙間から覗かれることがなくプライバシーの保護を図ることが出来る。また、前壁体７が独立して設けられているものに比べて、前壁体７が側壁体８，９に支えられることとなって、風や地震等による外力に対して強固なものとなる。更に、側壁体８，９によって前壁体７が集合住宅１本体と連結されるので、集合住宅１の外面に凹凸が出来ることとなって、集合住宅１の外観が豪華、且つ堅固な印象を与えるものになる。
また、前壁体７に設けられた開口部７ａと側壁体８，９に設けられた側壁開口部８ａ，９ａとからそれぞれ光を凹部４内に差し込ませることが出来ることとなって、凹部４内の採光性を損なわせることなく前壁体７及び側壁体８，９を凹部４の前方に設けることができる。
ここで、前壁体７は、いわゆる塀と同様のものである。この前壁体７としては、コンクリート製のもの、金属製のものなどでもよいが、例えば、予め地盤に設けた基礎６８，６９にパネルを立設して構築するものでもよいし、パネルでなく現場で製造するものであってもよい。また、前壁体７は、集合住宅１の躯体を形成するものではないので、構造強度はさほど必要としない。また、前壁体７を、集合住宅１の外壁４４，４５から離す距離は、任意に定めてよい。
【００１６】
請求項２記載の発明は、請求項１記載の集合住宅１において、前記前壁体７及び前記側壁体８，９の高さは、前記凹部４内であって２階の床レベルに設けられた外廊下６５よりも高くなっていることを特徴としている。
【００１７】
請求項２記載の発明によれば、請求項１記載の発明と同様の効果が得られることは無論のこと、特に、前壁体７及び側壁体８，９の高さは、凹部４内であって２階の床レベルに設けられた外廊下６５よりも高くなっているので、前壁体７及び側壁体８，９が凹部４の目隠しとなることとなって、２階以上の住人のプライバシーを保護することが出来る。
【００１８】
ここで、前壁体７及び側壁体８，９の高さは、少なくとも２階の外廊下６５が隠れる程度であればよいが、人の腰部分まで隠れる程度の高さであれば、更に望ましい。
【００１９】
請求項３記載の発明は、請求項１又は２に記載の集合住宅１において、前記前壁体７と２つの前記側壁体８，９とによって囲まれた空間の内側に、前記前壁体７と、当該集合住宅１の外壁４４，４５とに当接して小壁４６，４６が設けられていることを特徴としている。
【００２０】
請求項３記載の発明によれば、請求項１又は２に記載の発明と同様の効果が得られることは無論のこと、特に、前壁体７と２つの側壁体８，９とによって囲まれた空間の内側に設けられた小壁４６，４６によって、前壁体７と、当該集合住宅１の外壁４４，４５とが連結されるので、単に側壁体８，９によって前壁体７と外壁４４，４５を連結させるよりも、飾り壁部４０と外壁４４，４５とをより強固に連結させることが出来る。
【００２１】
請求項４記載の発明は、請求項３記載の集合住宅１において、前記側壁体８，９と前記小壁４６，４６とで挟まれた空間を所定の高さで仕切る仕切板４７，４７が設けられていることを特徴としている。
【００２２】
請求項４記載の発明によれば、仕切板４７，４７によって、側壁体８，９と小壁４６，４６とで挟まれた空間が所定の高さで仕切られるので、この仕切板４７上に、例えば、花などの被載置物を置くことが出来ることとなって、飾り壁４０によって形成されるスペースを有効に活用することが出来る。
【００２３】
ここで、仕切板４７，４７としては、例えば、合板などを用いるが、特に限定されるものではない。
また、仕切板４７，４７上に雨が溜まらないように、水切り勾配を付けておくのが望ましい。
【００２４】
請求項５記載の発明は、前記仕切板４７，４７は、防水処理が施されていることを特徴としている。
【００２５】
請求項５記載の発明によれば、仕切板４７，４７には防水処理が施されているので、仕切板４７，４７が雨に晒される場合であっても雨によって仕切板４７，４７が腐ってしまうようなことがない。
【００２６】
請求項６記載の発明は、請求項４又は５に記載の集合住宅１において、前記仕切板４７，４７の下方に、前記側壁体８，９と小壁４６，４６とで挟まれた空間を塞ぐ軒天井４８，４８が設けられていることを特徴としている。
【００２７】
請求項６記載の発明によれば、仕切板４７，４７の下方に設けられた軒天井４８，４８によって、側壁体８，９と小壁４６，４６とで挟まれた空間が塞がれるので、仕切板４７，４７と軒天井４８，４８とで挟まれた空間に面した側壁体８，９と小壁４６，４６とが外部から隠れることとなって、この部分に外装材１０を貼設する必要がなくコスト低減が図れる。
【００２８】
請求項７記載の発明は、請求項１〜６の何れか一つに記載の集合住宅１において、前記前壁体７及び前記側壁体８，９の地面と接していない下端部７ｂ，８ｂ，９ｂに、壁面から下方に傾斜した水切り４９が設けられていることを特徴としている。
【００２９】
請求項７記載の発明によれば、前壁体７及び側壁体８，９の地面と接していない下端部７ｂ，８ｂ，９ｂに設けられた水切り４９は、壁面から下方に傾斜されているので、例えば、前壁体７及び側壁体８、９のサイディングが貼設されていない面に雨や水が回り込むことを防止出来ることとなって、前壁体７及び側壁体８、９の裏側が損傷することを防止出来る。
【００３０】
【発明の実施の形態】
以下、図を参照して本発明に係る集合住宅の実施の形態を詳細に説明する。
図１は、本発明に係る集合住宅の正面図であり、図２、図３は、同集合住宅の１階及び２階の平面図であり、図４は、図１のＡ−Ａ’部の縦断面図であり、図５、図６は、それぞれ同集合住宅の東側面図及び西側面図である。
また、図７は、集合住宅に設けられた飾り壁の要部外観を示す斜視図であり、図８は、図３のＢ−Ｂ’部の縦断面図である。
【００３１】
図１に示す集合住宅１の１階部には、左右対称に構成された左住戸２ａと右住戸２ｂの２つの住戸２がそれぞれ隣接して設けられ、２階部には、左右対称に構成された左住戸２ｃと右住戸２ｄの２つの住戸２がそれぞれ隣接して設けられている。
【００３２】
図２或いは図３に示すように、前記住戸２が隣接する隣接部３の南側の端部３１には、前記集合住宅１の内側に凹んだ凹部４が形成され、該凹部４は、左凹部外壁４１と、右凹部外壁４２と、奥凹部外壁４３及び各住戸２，２の玄関部５ａ〜５ｄとによって三方向が囲まれた構造を有している。
前記玄関部５ａ〜５ｄは、前記凹部４の入隅４ａ，４ａに接して前記奥凹部外壁４３側の面に設けられている。
【００３３】
前記各住戸２，２，…は、いわゆる２ＬＤＫの住戸であり、その間取りとして、例えば、図２に示す１階の左住戸２ａの場合には、前記玄関部５ａの片開き式の玄関ドア５１の屋内側に玄関土間５２が設けられ、該玄関土間５２の北側及び東側には下駄箱５３と収納部５４がそれぞれ設けられ、西側には玄関ホール５５が設けられている。
前記玄関ホール５５の北側の突き当たりには洗面所２１が配置され、その東側には浴室２２が設けられ、その西側にはダイニングキッチン２３が設けられている。また、前記浴室２２の南側には、トイレ２４が設けられている。
【００３４】
一方、玄関ホール５５の南側には、前記ダイニングキッチン２３と隣接して居間２５が設けられ、この居間２５の西側に第一の洋間２６が設けられている。
また、前記ダイニングキッチン２３の西側には、第二の洋間２７が設けられている。そして、前記第一の洋間２６と前記第二の洋間２７の間には、第一の洋間２６側に開口した押し入れ２８ａと、第二の洋間２７側に開口した押し入れ２８ｂがそれぞれ設けられている。
【００３５】
１階部の右住戸２ｂの間取りは、左住戸２ａの間取りを隣接部３を挟んで対称にしたものであり、また、２階部の住戸２ｃ、２ｄの間取りは、１階部の住戸２ａ、２ｂとほぼ同じであるが、前記第一の洋間の南側にバルコニ−２９が設けられている。
前記凹部４には、前記左凹部外壁４１から幅ａだけ離れるとともに、前記右凹部外壁４２から幅ｂだけ離れた位置に、外階段６が設けられている。
【００３６】
前記左凹部外壁４１と前記外階段６の間の幅ａは、該集合住宅１の住人等が容易に出入り可能幅が確保されている。一方、前記右凹部外壁４２と前記外階段６の間の幅ｂは、右住戸２ｂの前記玄関部５ｂが、前記外階段６に覆われない程度の幅である。
なお、幅ｂは住人が通れる幅としてもよい。
【００３７】
前記外階段６は、図４に示すように、いわゆる直階段であって、１４段の段板６１，６１，…と、この段板６１，６１，…を下側から支えるささら桁６２と、前記段板６１，６１，…の両端部に起立して設けられた例えば、アルミ製の格子６３，６３，…と、この格子６３，６３，…の上端に設けられた例えば、アルミ製の手摺６４，６４などにより概略構成されている。
【００３８】
該外階段６の下端部６ａは、基礎６４の上に設けられるとともに、上端部６ｂは２階の床高さとほぼ等しい位置に設けられた外廊下６５と当接している。この外廊下６５と当接する上端部６ｂには、基礎６７と繋がる支柱６８が設けられ、この支柱６８によって当該外階段６が支持されている。
【００３９】
また、図１、図５、図６及び図７に示すように、前記凹部４の前方には、前壁体７と、右側壁体８と、左側壁体９とを備えた飾り壁部４０が設けられている。前記前壁体７は、前記凹部４を挟む左右の住戸２，２の出隅４ｂ，４ｂの外側に位置する左外壁部４４と右外壁部４５から離間して、前記凹部４を覆うように設けられている。
前記前壁体７の中央部には、大きな開口部７ａが設けられていて、該開口部７ａを通って凹部４内に人が出入り出来るようになっているとともに、該開口部７ａより凹部４内に光が差し込むようになっている。
【００４０】
また、前記右側壁体８と前記左側壁体９は、図５及び図６に示すように、該前壁体７の両側部に当接するとともに、前記左外壁部４４及び前記右外壁部４５にそれぞれ当接して前記前壁体７と前記左外壁部４４及び前記右外壁部４５とを連結させている。
前記右側壁体８及び前記左側壁部体９には、前記左外壁部４４側及び前記右外壁部４５側の１階部分に、側壁開口部８ａ，９ａがそれぞれ設けられていて、この側壁開口部８ａ，９ａから凹部４内に光が差し込むようになっている。
そして、前記前壁体７、前記左側壁体８及び前記右側壁体９は基礎６８，６９上に立設されている。
【００４１】
また、前記前壁体７と左側壁体８と右側壁体９とで囲まれた空間の内側に、各々前記前壁体７と外壁４４或いは外壁４５とに当接して小壁４６，４６が設けられている。
前記小壁４６，４６は、図８のＢ−Ｂ’部縦断面図に示すように、上端部は、前記左側壁体８よりやや低く、下端部は、前記側壁体の開口部の上端と等しくされている。
【００４２】
前記左側壁体８及び小壁４６は、縦桟材（図示省略）と横桟材１００とが矩形状に組まれて枠体１１０が形成され、この枠体１１０の内部に補強用芯材（図示省略）が縦横に組み立てられ、この枠体１１０の表裏面に面材１０１，１０１が貼設されたパネルにより形成されている。
そして、前記左側壁体８と前記小壁４６との間のそれぞれの面材１０１ａ，１０１ａに当接して前記左側壁体８と前記小壁４６との間の小壁空間を仕切る仕切板４７が設けられている。
【００４３】
前記仕切板４７は、例えば、塩化ビニール防水合板から出来ていて、前記左側壁体８と前記小壁４６の間のそれぞれの面材１０１ａ，１０１ａに設けられた勾配材４７ａ，４７ａに載置されて設けられることにより勾配が付けられ、雨が降っても溜まらず流れ出るようになっている。
前記仕切板４７上には、例えば、花などが植えられた植木鉢等を置くことが出来るようになっていて、飾り壁４０によって形成されるスペースを有効に活用することが出来る。
仕切板４７には防水処理が施されているので、仕切板４７が雨に晒される場合であっても雨によって仕切板４７が腐ってしまうようなことがない。
【００４４】
また、図示しないが、前記右側壁体９と前記小壁４６との間の小壁空間にも同様に、仕切板４７が設けられている。
前記左側壁体８はその上端には、笠木１０２が設けられ、小壁空間の外側の面材１０１ｂには幕板１０３と外装材１０が貼設されている。また、前記仕切板４７よりも上の小壁空間の内側の面材１０１ａ，１０１ａには、防水性を有するボード１０４が貼設されているが、前記仕切板４７よりも下の小壁空間の内側は面材１０１ａ，１０１ａがむき出しとなっている。
【００４５】
前記小壁４６の上端にも、前記笠木１０２が設けられ、小壁空間の外側の面材１０１ｂには、外装材１０が貼設されている。また、前記左側壁体８と同様に、前記仕切板４７よりも上の小壁空間の内側の面材１０１ａには、防水性を有するボード１０４が貼設されているが、前記仕切板４７よりも下の小壁空間の内側は面材１０１ａがむき出しとなっている。
【００４６】
また、前記左側壁体８の地面と接していない下端部８ｂと前記小壁４６の下端部４６ｂとの間には軒天井４８が設けられ、前記小壁空間が覗かれないようになっている。
従って、前記左側壁体８及び前記小壁４６の前記仕切板４７よりも下の小壁空間の内側が面材１０１ａがむき出しとなっていても見えないこととなって、その部分の外装材１０のコストを削減することが出来る。
【００４７】
更に、前記左側壁体８の地面と接していない下端部８ｂ及び前記小壁４６の下端部４６ｂには、水切り４９，４９が設けられている。
前記水切り４９は、壁面から下方に傾斜されているので、例えば、前壁体７及び側壁体８、９のサイディングが貼設されていない面に雨や水が回り込むことを防止出来ることとなって、前壁体７及び側壁体８、９の裏側が損傷することを防止出来る。
【００４８】
また、図示はしないが前記前壁体７及び前記右側壁体９も同様にパネルから形成されている。
また、前壁体７、左側壁体８、右側壁体９及び小壁４６，４６を、予め工場で一体としたものとして製造し、現場では、外壁４４，４５と基礎６８，６９に取り付けるようにしてもよい。そうすることにより、現場での施工の効率化を図ることが出来る。
また、前記前壁体７、前記右側壁体８、前記左側壁体９及び前記小壁４６，４６の表面には、前記左外壁部４４及び前記右外壁部４５と同様の外装材１０が貼設され、外観上、前記前壁体７、前記右側壁体８及び前記左側壁体９が前記左外壁部４４及び前記右外壁部４５と一体となるような意匠上の処理がなされている。
【００４９】
以上説明した本発明に係る集合住宅１によれば、凹部４の前方に外階段６への往来が可能な開口部７ａを有する前壁体７によって凹部４が覆われているので、隣接する道路や近くの住宅から凹部が覗かれることがない。
また、凹部４と前壁体７との間には、例えば、踊り場のような閉塞させる部材が設けられていないので、１階部分の凹部４の採光性に優れるとともに、凹部４の前面に前壁体７を設けても凹部４空間が閉塞されることがないこととなって、圧迫感を感じることがなくゆったりとした感じを与えることが出来る。
【００５０】
前壁体７には開口部７ａが設けられているので、開口部７ａから凹部４内に光が差し込むこととなって凹部４が暗くなることが少ない。
また、前壁体７の左右の端部７１，７２から延出して、前壁体７と当該集合住宅１の外壁４４，４５とを連結する左側壁体８と右側壁体９が設けられているので、前壁体７が独立して設けられているものに比べて、前壁体７は風や地震等による外力に対して強固なものとすることが出来る。
更に、左側壁体８と右側壁体９によって前壁体７が集合住宅１本体と連結されるので、集合住宅１に凹凸が出来ることとなって、集合住宅１の外観が豪華、且つ堅固な印象を与えるものになる。
【００５１】
側壁体８，９の少なくとも１階部分には、側壁開口部８ａ，９ａが設けられているので、この側壁開口部８ａ，９ａから光が差し込むこととなって、１階部の凹部４が暗くなることを防止することが出来る。
また、前壁体７及び側壁体８，９の高さは、凹部４内であって２階の床レベルに設けられた外廊下６５よりも高くなっているので、前壁体７及び側壁体８，９が凹部４の目隠しとなることとなって、２階以上の住人のプライバシーを保護することが出来る。
【００５２】
また、前壁体７及び側壁体８，９の壁面には、外壁４４，４５の外装材１０が貼設されているので、集合住宅１と前壁体７及び側壁体８，９との調和が図られ、意匠性に優れた集合住宅１となる。
更に、前壁体７と側壁体８，９とによって囲まれた空間の内側に設けられた小壁４６，４６によって、前壁体７と、当該集合住宅１の外壁４４，４５とが連結されるので、単に側壁体８，９によって前壁体７と外壁４４，４５を連結させるよりも、飾り壁部４０と外壁４４，４５とをより強固に連結させることが出来る。
【００５３】
なお、前記側壁開口部８ａ，９ａは、人が出入り可能な大きさに設けてもよい。そうすれば、開口部７ａのみならず、前記側壁開口部８ａ，９ａからも出入りすることが出来ることとなってより便利となる。
また、上記実施の形態においては、２階建ての集合住宅としたが、３階建て或いはそれ以上のものであってもよい。
【００５７】
【発明の効果】
請求項１記載の発明によれば、少なくとも外階段への往来が可能な開口部を有する飾り壁としての前壁体によって凹部の前方が覆われているので、前方の道路や近くの住宅から凹部が覗かれることがない。また、凹部と前壁体との間には、例えば、踊り場のような閉塞させる部材が設けられていないので、１階部分の凹部の採光性に優れるとともに、凹部の前面に前壁体を設けても凹部空間が閉塞されることがないこととなって、圧迫感を感じることがなくゆったりとした感じを与えることが出来る。また、前壁体には開口部が設けられているので、開口部から凹部内に光が差し込むとともに、外壁と前壁体の間の隙間からも光が差し込むこととなって凹部が暗くなることが少ない。
特に、飾り壁部には、前壁体の左右の端部からそれぞれ延出して、前壁体と当該集合住宅の外壁とを連結する２つの側壁体が設けられているので、前壁体と外壁の隙間から覗かれることがなくプライバシーの保護を図ることが出来る。また、前壁体が独立して設けられているものに比べて、前壁体が側壁体に支えられることとなって、風や地震等による外力に対して強固なものとなる。更に、側壁体によって前壁体が集合住宅本体と連結されるので、集合住宅の外面に凹凸が出来ることとなって、集合住宅の外観が豪華、且つ堅固な印象を与えるものになる。
また、前壁体に設けられた開口部と側壁体に設けられた側壁開口部とからそれぞれ光を凹部内に差し込ませることが出来ることとなって、凹部内の採光性を損なわせることなく前壁体及び側壁体を凹部の前方に設けることができる。
【００５８】
請求項２記載の発明によれば、請求項１記載の発明と同様の効果が得られることは無論のこと、特に、前壁体及び側壁体の高さは、凹部内であって２階の床レベルに設けられた外廊下よりも高くなっているので、前壁体及び側壁体が凹部の目隠しとなることとなって、２階以上の住人のプライバシーを保護することが出来る。
【００５９】
請求項３記載の発明によれば、請求項１又は２に記載の発明と同様の効果が得られることは無論のこと、特に、前壁体と２つの側壁体とによって囲まれた空間の内側に設けられた小壁によって、前壁体と、当該集合住宅の外壁とが連結されるので、単に側壁体によって前壁体と外壁を連結させるよりも、飾り壁部と外壁とをより強固に連結させることが出来る。
【００６０】
請求項４記載の発明によれば、被載置物を置くことが可能な仕切板によって、側壁体と小壁とで挟まれた空間が所定の高さで仕切られるので、この仕切板上に、例えば、花などの被載置物を置くことが出来ることとなって、スペースを有効に活用することが出来る。
【００６１】
請求項５記載の発明によれば、仕切板には防水処理が施されているので、仕切板が雨に晒される場合であっても雨によって仕切板が腐ってしまうようなことがない。
【００６３】
請求項６記載の発明によれば、仕切板の下方に設けられた軒天井によって、側壁体と小壁とで挟まれた空間が塞がれるので、仕切板と軒天井とで挟まれた空間に面した側壁体と小壁とが外部から隠れることとなって、この部分に外装材を貼設する必要がなくコスト低減が図れる。
【００６４】
請求項７記載の発明によれば、前壁体及び側壁体の地面と接していない下端部に設けられた水切りは、壁面から下方に傾斜されているので、例えば、前壁体及び側壁体のサイディングが貼設されていない面に雨や水が回り込むことを防止出来ることとなって、前壁体及び側壁体の裏側が損傷することを防止出来る。
【図面の簡単な説明】
【図１】本発明に係る集合住宅の正面図である。
【図２】本発明に係る集合住宅の１階の平面図である。
【図３】本発明に係る集合住宅の２階の平面図である。
【図４】図１のＡ−Ａ’部の縦断面図である。
【図５】本発明に係る集合住宅の東側面図である。
【図６】本発明に係る集合住宅の西側面図である。
【図７】本発明に係る飾り壁部の要部斜視図である。
【図８】図３のＢ−Ｂ’部の縦断面図である。
【符号の説明】
１    集合住宅
２ａ〜２ｄ    住戸
３    隣接部
４    凹部
４ａ  入隅
４ｂ  出隅
５ａ〜５ｄ    玄関部
６    外階段
７    前壁体
８    左側壁体
８ａ  側壁開口部
９    右側壁体
９ａ  側壁開口部
４０    飾り壁部
４１    左凹部外壁（外壁）
４２    右凹部外壁（外壁）
４３    奥凹部外壁（外壁）
４４    外壁
４５    外壁
４６    小壁
４７    仕切板
４８    軒天井
４９    水切り
【図１】
0004090558.tif 000002
【図２】
0004090558.tif 000003
【図３】
0004090558.tif 000004
【図４】
0004090558.tif 000005
【図５】
0004090558.tif 000006
【図６】
0004090558.tif 000007
【図７】
0004090558.tif 000008
【図８】
0004090558.tif 000009